(57)【特許請求の範囲】
【請求項１】
互いに異なる色の複数の光を、前記複数の光の一部が放射角度領域で互いに重なるように、放射する照明装置における前記複数の光のそれぞれの色を制御する発光色制御装置であって、
画像を表す画像データを取得する画像取得部と、
前記画像取得部で取得された画像データで表される画像の中から複数の領域を選択する領域選択部と、
前記領域選択部で選択された複数の領域における各色情報に基づいて前記複数の光のそれぞれの色を決定する色決定部と、
前記照明装置へ出力するために、前記色決定部で決定された色を表す信号を生成する信号生成部とを備え、
前記領域選択部は、
前記画像取得部で取得された画像データで表される画像を所定の形状で複数のブロック領域に分割することで、前記画像を標本化する画像標本化部と、
前記画像標本化部で標本化された前記複数のブロック領域それぞれにおいて、当該ブロック領域における色情報に基づいて当該ブロック領域の色を代表する代表色を求めることで、前記複数のブロック領域それぞれの各色を量子化する画像量子化部と、
前記画像標本化部で標本化された前記複数のブロック領域の中から、前記画像量子化部で量子化された代表色に基づいて、複数のブロック領域を前記複数の領域として選択する選択部とを備え、
前記色決定部は、前記領域選択部の選択部で選択された複数のブロック領域における各代表色に基づいて前記複数の光のそれぞれの色を決定し、
前記領域選択部の前記選択部は、前記画像標本化部で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域として複数のグループを選択すること
を特徴とする発光色制御装置。
【請求項２】
前記領域選択部の前記選択部は、前記画像標本化部で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であって彩度または明度が所定の第３閾値以上であるグループの中から、前記複数のブロック領域として複数のグループを選択すること
を特徴とする請求項１に記載の発光色制御装置。
【請求項３】
前記領域選択部の前記選択部は、前記画像取得部で取得された画像データで表される画像における一部領域の中から、前記複数のブロック領域を選択すること
を特徴とする請求項１または請求項２に記載の発光色制御装置。
【請求項４】
前記領域選択部の前記選択部は、前記画像取得部で取得された画像データで表される画像におけるグラデーションとなっているグラデーション領域の中から複数の領域を選択すること
を特徴とする請求項１ないし請求項３のいずれか１項に記載の発光色制御装置。
【請求項５】
ユーザが指定した指定色を受け付ける指定色受付部をさらに備え、
前記色決定部は、前記領域選択部の選択部で選択された複数のブロック領域における各代表色の中から、前記指定色受付部で受け付けた指定色に基づいて前記複数の光のそれぞれの色を決定すること
を特徴とする請求項１ないし請求項４のいずれか１項に記載の発光色制御装置。
【請求項６】
前記画像量子化部は、当該ブロック領域における色情報の所定の統計値を前記代表色とすること
を特徴とする請求項１ないし請求項５のいずれか１項に記載の発光色制御装置。
【請求項７】
前記色決定部で決定された第１および第２色それぞれにおける彩度または明度が所定の第４閾値以下である場合に、前記第４閾値以下の彩度または明度が第５閾値以上となるように、前記色決定部で決定された第１および第２色を補正する色補正部をさらに備え、
前記信号生成部は、前記色決定部で決定された第１および第２色であって前記色補正部で補正された第１および第２色を表す信号を生成すること
を特徴とする請求項１ないし請求項６のいずれか１項に記載の発光色制御装置。
【請求項８】
前記色決定部で決定された色が所定の不快な色である場合に、前記不快な色を所定の快い色に変換する色変換部をさらに備え、
前記信号生成部は、前記色決定部で決定された色であって前記色変換部で変換された色を表す信号を生成すること
を特徴とする請求項１ないし請求項７のいずれか１項に記載の発光色制御装置。
【請求項９】
互いに異なる色の複数の光を、前記複数の光の一部が放射角度領域で互いに重なるように、放射する照明装置における前記複数の光のそれぞれの色を制御する発光色制御方法であって、
画像を表す画像データを取得する画像取得工程と、
前記画像取得工程で取得された画像データで表される画像の中から複数の領域を選択する領域選択工程と、
前記領域選択工程で選択された複数の領域における各色情報に基づいて前記複数の光のそれぞれの色を決定する色決定工程と、
前記照明装置へ出力するために、前記色決定工程で決定された複数の光のそれぞれの色を表す信号を生成する信号生成工程とを備え、
前記領域選択工程は、
前記画像取得工程で取得された画像データで表される画像を所定の形状で複数のブロック領域に分割することで、前記画像を標本化する画像標本化工程と、
前記画像標本化工程で標本化された前記複数のブロック領域それぞれにおいて、当該ブロック領域における色情報に基づいて当該ブロック領域の色を代表する代表色を求めることで、前記複数のブロック領域それぞれの各色を量子化する画像量子化工程と、
前記画像標本化工程で標本化された前記複数のブロック領域の中から、前記画像量子化工程で量子化された代表色に基づいて、複数のブロック領域を前記複数の領域として選択する選択工程とを備え、
前記色決定工程は、前記領域選択工程の選択工程で選択された複数のブロック領域における各代表色に基づいて前記複数の光のそれぞれの色を決定し、
前記領域選択工程の前記選択工程は、前記画像標本化工程で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域として複数のグループを選択すること
を特徴とする発光色制御方法。
【請求項１０】
互いに異なる色の複数の光を、前記複数の光の一部が放射角度領域で互いに重なるように、放射する照明装置における前記複数の光のそれぞれの色を制御する発光色制御プログラムであって、
コンピュータに、
画像を表す画像データを取得する画像取得工程と、
前記画像取得工程で取得された画像データで表される画像の中から複数の領域を選択する領域選択工程と、
前記領域選択工程で選択された複数の領域における各色情報に基づいて前記複数の光のそれぞれの色を決定する色決定工程と、
前記照明装置へ出力するために、前記色決定工程で決定された複数の光のそれぞれの色を表す信号を生成する信号生成工程とを実行させるための発光色制御プログラムであって、
前記領域選択工程は、
前記画像取得工程で取得された画像データで表される画像を所定の形状で複数のブロック領域に分割することで、前記画像を標本化する画像標本化工程と、
前記画像標本化工程で標本化された前記複数のブロック領域それぞれにおいて、当該ブロック領域における色情報に基づいて当該ブロック領域の色を代表する代表色を求めることで、前記複数のブロック領域それぞれの各色を量子化する画像量子化工程と、
前記画像標本化工程で標本化された前記複数のブロック領域の中から、前記画像量子化工程で量子化された代表色に基づいて、複数のブロック領域を前記複数の領域として選択する選択工程とを備え、
前記色決定工程は、前記領域選択工程の選択工程で選択された複数のブロック領域における各代表色に基づいて前記複数の光のそれぞれの色を決定し、
前記領域選択工程の前記選択工程は、前記画像標本化工程で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域として複数のグループを選択する、
発光色制御プログラム。
【請求項１１】
互いに異なる色の複数の光を、前記複数の光の一部が放射角度領域で互いに重なるように、放射する照明装置と、
前記照明装置における前記複数の光のそれぞれの色を制御する発光色制御装置とを備え、
前記発光色制御装置は、請求項１ないし請求項８のいずれか１項に記載の発光色制御装置であること
を特徴とする照明システム。
【請求項１２】
複数の色の光を放射可能な複数の光源を有し、前記複数の光源のうちの或る光源から放射される光の一部と前記複数の光源のうちの別の光源から放射される光の一部とが放射角度領域で互いに重なるように前記複数の光を放射する光源部と、
互いに異なる色で前記複数の光を放射するように前記複数の光源を制御する制御部と、
画像を表す画像データを取得する画像取得部とを備え、
前記制御部は、
前記画像取得部で取得された画像データで表される画像の中から複数の領域を選択する領域選択部と、
前記領域選択部で選択された複数の領域における各色情報に基づいて前記複数の光のそれぞれの色を決定する色決定部と、
前記色決定部で決定された色で前記複数の光を放射するように前記複数の光源を制御する発光制御部とを備え、
前記領域選択部は、
前記画像取得部で取得された画像データで表される画像を所定の形状で複数のブロック領域に分割することで、前記画像を標本化する画像標本化部と、
前記画像標本化部で標本化された前記複数のブロック領域それぞれにおいて、当該ブロック領域における色情報に基づいて当該ブロック領域の色を代表する代表色を求めることで、前記複数のブロック領域それぞれの各色を量子化する画像量子化部と、
前記画像標本化部で標本化された前記複数のブロック領域の中から、前記画像量子化部で量子化された代表色に基づいて、複数のブロック領域を前記複数の領域として選択する選択部とを備え、
前記色決定部は、前記領域選択部の選択部で選択された複数のブロック領域における各代表色に基づいて前記複数の光のそれぞれの色を決定し、
前記領域選択部の前記選択部は、前記画像標本化部で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域として複数のグループを選択すること
を特徴とする照明装置。
【請求項１３】
複数の色の光を放射可能な複数の複数の光源それぞれを、互いに異なる色の複数の光であって前記複数の光のそれぞれの一部を放射角度領域で互いに重なるように放射させる照明方法であって、
画像を表す画像データを取得する画像取得工程と、
前記画像取得工程で取得された画像データで表される画像の中から複数の領域を選択する領域選択工程と、
前記領域選択工程で選択された複数の領域における各色情報に基づいて前記複数の光のそれぞれの色を決定する色決定工程と、
前記色決定部で決定された色で前記第１および第２光を放射するように前記複数の光源を制御する発光制御工程とを備え、
前記領域選択工程は、
前記画像取得工程で取得された画像データで表される画像を所定の形状で複数のブロック領域に分割することで、前記画像を標本化する画像標本化工程と、
前記画像標本化工程で標本化された前記複数のブロック領域それぞれにおいて、当該ブロック領域における色情報に基づいて当該ブロック領域の色を代表する代表色を求めることで、前記複数のブロック領域それぞれの各色を量子化する画像量子化工程と、
前記画像標本化工程で標本化された前記複数のブロック領域の中から、前記画像量子化工程で量子化された代表色に基づいて、複数のブロック領域を前記複数の領域として選択する選択工程とを備え、
前記色決定工程は、前記領域選択工程の選択工程で選択された複数のブロック領域における各代表色に基づいて前記複数の光のそれぞれの色を決定し、
前記領域選択工程の前記選択工程は、前記画像標本化工程で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域として複数のグループを選択すること
を特徴とする照明方法。
【発明の詳細な説明】
【技術分野】
【０００１】  本発明は、いわゆるグラデーション照明に好適に利用される発光色制御装置、発光色制御方法および発光色制御プログラム、照明システムならびに照明装置および照明方法に関する。
【背景技術】
【０００２】  近年、明るさや色彩を連続的に変化させて放射角度領域を照明するグラデーション照明が注目されている。このグラデーション照明は、例えば、特許文献１に開示された照明装置によって実現できる。【０００３】  この特許文献１に開示された照明装置は、発光ダイオード等からなる光源を備えた照明装置であって、該光源から出射した光を、視角範囲内にて、自然光環境を再現するために複数の照射領域を形成し、該複数の照射領域の少なくともいずれか一方の大きさを可変する可変手段を備え、上記複数の照射領域は、一部が重なり合った中間領域を備え、該中間領域は、該中間領域を形成する上記各照射領域の光が混合し、混合色を有してなるものである。【０００４】  ところで、画像は、一般に、例えばＣＲＴ（Ｃａｔｈｏｄｅ  ｒａｙ  ｔｕｂｅ）ディスプレイ、液晶ディスプレイおよびプロジェクター等の多数の画素を持つ表示装置によって表示されるが、画像を照明装置で表示しようとすると、照明装置は、画素を持たないので、当然に、表示できない。
【先行技術文献】
【特許文献】
【０００５】
【特許文献１】特開２０１０−１５７４１８号公報
【発明の概要】
【０００６】  本発明は、上述の事情に鑑みて為された発明であり、その目的は、画像をグラデーション照明によって概念的に表現できる発光色制御装置、発光色制御方法および発光色制御プログラム、照明システムならびに照明装置および照明方法を提供することである。
【０００７】  本発明にかかる発光色制御装置、発光色制御方法および発光色制御プログラム、照明システムならびに照明装置および照明方法では、複数の光をそれらの一部が放射角度領域で互いに重なるように放射する照明装置における前記複数の光のそれぞれの色が制御される。この際に、画像を表す画像データが取得され、前記画像データで表される画像の中から複数の領域が選択され、前記複数の領域における各色情報に基づいて前記複数の光のそれぞれの色が決定され、この決定された色を表す信号が生成されて前記照明装置へ出力される。したがって、本発明にかかる発光色制御装置、発光色制御方法、発光色制御プログラム、照明システム、照明装置および照明方法は、画像をグラデーション照明によって概念的に表現できる。
【０００８】  上記並びにその他の本発明の目的、特徴及び利点は、以下の詳細な記載と添付図面から明らかになるであろう。
【図面の簡単な説明】
【０００９】
【図１】実施形態における照明システムの電気的な構成を示すブロック図である。
【図２】実施形態の照明システムにおけるＳＰ側制御処理部の構成を示すブロック図である。
【図３】実施形態の照明システムにおけるスマートフォンの外観を示す図である。
【図４】実施形態の照明システムにおける光源部の電気的な構成を示す回路図である。
【図５】実施形態の照明システムにおける照明装置の外観を示す斜視図である。
【図６】実施形態の照明システムにおける光源部の構造的な構成を示す断面図である。
【図７】実施形態の照明システムにおけるＬＥＤ光源の構成を示す平面図である。
【図８】色相、明度、彩度の立体図である。
【図９】実施形態の照明システムにおける発光色制御の概略動作を説明するための図である。
【図１０】実施形態の照明システムによるグラデーション照明の一例を示す図である。
【図１１】実施形態の照明システムにおけるスマートフォンの動作を示すフローチャートである。
【図１２】実施形態の照明システムにおける照明装置の動作を示すフローチャートである。
【図１３】実施形態の照明システムにおける画像量子化の動作を示すフローチャートである。
【図１４】実施形態の照明システムにおける第１態様の領域選択および色決定の動作を説明するための図である。
【図１５】実施形態の照明システムにおける第２態様の領域選択および色決定の動作を説明するための図である。
【図１６】実施形態の照明システムにおける第３態様の領域選択および色決定の動作を説明するための図である。
【図１７】実施形態の照明システムにおける第４態様の領域選択および色決定の動作を説明するための図である。
【図１８】実施形態の照明システムにおける第５態様の領域選択および色決定の動作を説明するための図である。
【図１９】実施形態の照明システムにおける第６態様の領域選択および色決定の動作を説明するための図である。
【図２０】実施形態の照明システムにおける指定色による色決定の動作を説明するための図である。
【図２１】実施形態の照明システムにおける色補正による色決定の動作を説明するための図である。
【発明を実施するための形態】
【００１０】  以下、本発明にかかる実施の一形態を図面に基づいて説明する。なお、各図において同一の符号を付した構成は、同一の構成であることを示し、適宜、その説明を省略する。また、本明細書において、総称する場合には添え字を省略した参照符号で示し、個別の構成を指す場合には添え字を付した参照符号で示す。
【００１１】  図１は、実施形態における照明システムの電気的な構成を示すブロック図である。図２は、実施形態の照明システムにおけるＳＰ側制御処理部の構成を示すブロック図である。図３は、実施形態の照明システムにおけるスマートフォンの外観を示す図である。図４は、実施形態の照明システムにおける光源部の電気的な構成を示す回路図である。図５は、実施形態の照明システムにおける照明装置の外観を示す斜視図である。図６は、実施形態の照明システムにおける光源部の構造的な構成を示す断面図である。図７は、実施形態の照明システムにおけるＬＥＤ光源の構成を示す平面図である。図８は、色相、明度、彩度の立体図である。
【００１２】  実施形態における照明システムＬＳは、図１に示すように、照明装置ＬＤと、発光色制御装置の一例としてのスマートフォンＳＰとを備える。照明装置ＬＤは、互いに異なる色の第１および第２光を、前記第１光の一部と前記第２光の一部とが放射角度領域で互いに重なるように、放射するものである。なお、光は、２つに限らず、３つ、４つなどの複数であってよい。このような照明装置ＬＤは、前記第１光の一部と前記第２光の一部とが放射角度領域で互いに重なるように放射するので、いわゆるグラデーション照明できる。前記発光色制御装置は、照明装置ＬＤにおける前記第１光の第１色および前記第２光の第２色を制御する装置である。発光色制御装置は、専用の装置で構成されても良いが、本実施形態では、高機能携帯電話機であるいわゆるスマートフォンに発光色制御プログラムをインストールすることによって前記スマートフォンに実装されて構成された場合について説明する。
【００１３】  まず、発光色制御装置の一例としてのスマートフォンＳＰについて説明する。このスマートフォンＳＰは、例えば、図１ないし図３に示すように、表示部ＯＴと、スマートフォン側入力部（以下、「ＳＰ側入力部」と略記する。）ＩＮと、スマートフォン側制御処理部（以下、「ＳＰ側制御処理部」と略記する。）ＰＣと、スマートフォン側記憶部（以下、「ＳＰ側記憶部」と略記する。）ＭＹと、電話処理部ＴＬと、スマートフォン側ブルートゥース通信モジュール（以下、「ＳＰ側ブルートゥース通信モジュール」と略記する。）ＢＭと、これら各部ＯＴ、ＩＮ、ＰＣ、ＭＹ、ＴＬ、ＢＭを収納する薄い板状の筐体ＨＳとを備える。
【００１４】  ＳＰ側入力部ＩＮは、ＳＰ側制御処理部ＰＣに接続され、所定の指示の入力をユーザから受け付け、スマートフォンＳＰに前記指示を入力する装置であり、例えば、スイッチ等である。表示部ＯＴは、ＳＰ側制御処理部ＰＣに接続され、所定の情報を表示する装置であり、例えば、液晶表示装置や有機ＥＬ表示装置等である。筐体ＨＳの一方主面（表面）には、図３に示すように、表示部ＯＴにおける長方形の表示面が臨み、表示面の一方端側（下側）には、入力操作部ＩＮが配設されている。
【００１５】  そして、本実施形態では、表示部ＯＴの表示面には、前記表示面に指先あるいはペンで触れることによって入力を受け付けるタッチパネルが入力装置の他の１つとして備えられ、ＳＰ側入力部ＩＮで入力することができない指示の入力が、タッチパネルと表示部ＯＴに表示される情報とを合わせることによって実現されている。例えば、表示部ＯＴには、ＳＰ側記憶部ＭＹに記憶されている複数の画像がいわゆるサムネイルで表示され、これら表示された複数の画像のうちの１つを表示した位置の表示面を触れることで、当該位置に表示されている画像が照明装置ＬＤによって概念的に表現したい画像としてスマートフォンＳＰに入力される。なお、前記タッチパネルは、いわゆる静電容量方式等の公知の方式のものであってよい。
【００１６】  電話処理部ＴＬは、ＳＰ側制御処理部ＰＣに接続され、いわゆる携帯電話網を用いて通信を行って電話機能を実現する装置である。
【００１７】  ＳＰ側ブルートゥース通信モジュールＢＭは、ＳＰ側制御処理部ＰＣに接続され、ブルートゥース（登録商標）の通信規格に準拠した通信信号で外部の機器（例えば本実施形態では照明装置ＬＤ）と通信する装置である。
【００１８】  ＳＰ側制御処理部ＰＣは、スマートフォンＳＰの各部を当該各部の機能に応じてそれぞれ制御することによってスマートフォンＳＰ全体の動作を制御するものである。そして、ＳＰ側制御処理部ＰＣは、照明装置ＬＤにおける第１光の第１色および第２光の第２色を後述のように設定するものである。ＳＰ側制御処理部ＰＣは、例えば、ＣＰＵ（Ｃｅｎｔｒａｌ  Ｐｒｏｃｅｓｓｉｎｇ  Ｕｎｉｔ）およびその周辺回路を備えて構成される。
【００１９】  ＳＰ側記憶部ＭＹは、ＳＰ側制御処理部ＰＣに接続され、ＳＰ側制御処理部ＰＣとしてのＣＰＵによって実行される種々のプログラムやその実行に必要なデータ等を予め記憶するＲＯＭ（Ｒｅａｄ  Ｏｎｌｙ  Ｍｅｍｏｒｙ）やＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等の不揮発性記憶素子、このＣＰＵのいわゆるワーキングメモリとなるＲＡＭ（Ｒａｎｄｏｍ  Ａｃｃｅｓｓ  Ｍｅｍｏｒｙ）等の揮発性記憶素子およびその周辺回路等を備えて構成される。ＳＰ側記憶部ＭＹは、照明装置ＬＤによって概念的に表現したい画像を記憶してよい。
【００２０】  そして、ＳＰ側制御処理部ＰＣには、ＳＰ側記憶部ＭＹに記憶された発光色制御プログラムを実行することによって、図２に示すように、機能的に、制御部６１、画像取得部６２、領域選択部６３、色決定部６４および信号生成部６５が構成される。
【００２１】  制御部６１は、スマートフォンＳＰの各部を当該各部の機能に応じてそれぞれ制御するものである。
【００２２】  画像取得部６２は、画像を表す画像データを取得するものである。画像取得部６２は、例えば、ＳＰ側記憶部ＭＹに予め格納された画像データを読み込むことで、画像データを取得するものである。また例えば、スマートフォンＳＰに搭載された図略の撮像装置（カメラ）で物体（被写体）を撮影することで、画像データを取得するものである。なお、前記図略の撮像装置で生成された画像データは、ＳＰ側記憶部ＭＹに格納されて良い。また例えば、画像取得部６２は、例えば電話処理部ＴＬのデータ通信機能やＳＰ側ブルートゥース通信モジュールＢＭの通信機能で外部の機器（例えば他のスマートフォンや撮像装置（カメラ）等）から受信することで、画像データを取得するものである。
【００２３】  領域選択部６３は、画像取得部で取得された画像データで表される画像の中から複数の領域を選択するものである。より具体的には、領域選択部６３は、例えば、機能的に、画像標本化部６３１と、画像量子化部６３２と、選択部６３３とを備える。
【００２４】  画像標本化部６３１は、画像取得部６２で取得された画像データで表される画像を所定の形状で複数のブロック領域に分割することで、前記画像を標本化するものである。ブロック領域における前記所定の形状は、例えば円形形状および多角形形状等の任意の形状であって良いが、隙間無く前記画像を分割できることから、例えば、本実施形態では、互いに同一形状で同一サイズの矩形形状である。
【００２５】  画像量子化部６３２は、画像標本化部６３１で標本化された前記複数のブロック領域それぞれにおいて、当該ブロック領域における色情報に基づいて当該ブロック領域の色を代表する代表色を求めることで、前記複数のブロック領域それぞれの各色を量子化するものである。例えば、画像量子化部６３２は、当該ブロック領域における色情報の所定の統計値を前記代表色とする。この所定の統計値は、好ましくは、平均値、加重平均値、中央値および中心値のうちのいずれか１つである。色は、例えば色相、明度および彩度によって表されるので、代表値の算出では、色相、明度および彩度それぞれに対し、前記所定の統計値が求められ、代表色が求められる。なお、色の色相、明度および彩度の立体図が図８に示されている。これによれば、代表色が統計値で決定されるので、より適切にブロック領域の代表色が決定できる。
【００２６】  選択部６３３は、画像標本化部６３１で標本化された前記複数のブロック領域の中から、画像量子化部６３２で量子化された代表色に基づいて、複数のブロック領域を前記複数の領域として選択するものである。
【００２７】  このような領域選択部６３は、種々の態様を採り得、好ましくは、次の第１ないし第６態様であってよい。
【００２８】  第１態様の領域選択部６３では、選択部６３３は、画像標本化部６３１で標本化された前記複数のブロック領域の中から、隣接するブロック領域に対し前記代表色の色相、明度および彩度の中のいずれかが所定の第１閾値以上異なるブロック領域を、前記複数のブロック領域として選択する。
【００２９】  第２態様の領域選択部６３では、選択部６３３は、画像標本化部６３１で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域として複数のグループを選択する。
【００３０】  第３態様の領域選択部６３では、選択部６３３は、画像標本化部６３１で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であって彩度または明度が所定の第３閾値以上であるグループの中から、前記複数のブロック領域として複数のグループを選択する。
【００３１】  第４態様の領域選択部６３では、選択部６３３は、画像標本化部６３１で標本化された前記複数のブロック領域の中から、隣接するブロック領域に対し前記代表色の色相、明度および彩度の中のいずれかが所定の第１閾値以上異なるブロック領域を、前記複数のブロック領域の少なくとも１つとして少なくとも１つ選択し、前記画像標本化部で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域の少なくとも１つとして少なくとも１つのグループを選択する。
【００３２】  第５態様の領域選択部６３では、選択部６３３は、画像取得部６２で取得された画像データで表される画像における一部領域の中から、前記複数のブロック領域を選択する。なお、この場合において、上述の第１ないし第４態様のいずれかの態様がさらに採り得る。
【００３３】  第６態様の領域選択部６３では、選択部６３３は、画像取得部６２で取得された画像データで表される画像におけるグラデーションとなっているグラデーション領域の中から複数の領域を選択する。なお、この場合において、上述の第１ないし第４態様のいずれかの態様がさらに採り得る。
【００３４】  色決定部６４は、領域選択部６３で選択された複数の領域における各色情報に基づいて照明装置ＬＤにおける後述の第１および第２光の第１および第２色を決定するものである。より具体的には、色決定部６４は、領域選択部６３の選択部６３３で選択された複数のブロック領域における各代表色に基づいて前記第１および第２光の第１および第２色を決定するものである。
【００３５】  信号生成部６５は、照明装置ＬＤへ出力するために、色決定部６４で決定された第１および第２色を表す信号を生成し、所定の通信インターフェースを用いて外部へ送信するものである。前記所定の通信インターフェースは、所定の通信規格に準拠して信号を送受信する装置であり、一例として、本実施形態では、ＳＰ側ブルートゥース通信モジュールＭＢである。
【００３６】  次に、照明装置ＬＤについて説明する。この照明装置ＬＤは、例えば、図１および図４ないし図７に示すように、光源部１と、照明制御部２と、照明装置側入力部（以下、「ＬＤ側入力部」と略記する。）３と、電源部４とを備える。
【００３７】  電源部４は、外部電源５、光源部１、照明制御部２およびＬＤ側入力部３それぞれに接続され、商用電源等の外部電源５から電力の供給を受け、前記電力から光源部１、照明制御部２およびＬＤ側入力部３を稼働するための所定の電力を生成する回路である。例えば、電源部４は、外部電源５から給電された商用交流電力を直流電力に整流する整流回路と、前記整流回路の出力を平滑する平滑回路とを備え、また必要に応じて、光源部１、照明制御部２およびＬＤ側入力部３の各稼働電圧に応じた電圧値に変換する電圧変換回路（コンバータ）を備える。電源部４で生成された直流電力は、光源部１、照明制御部２およびＬＤ側入力部３に供給される。
【００３８】  ＬＤ側入力部３は、照明制御部２に接続され、照明装置ＬＤの照明制御部２に所定の指示等を入力するための回路である。ＬＤ側入力部３は、例えば、複数のスイッチ素子を備えて構成され、各スイッチ素子には、照明装置ＬＤのオンオフを行うための電源スイッチ素子や、グラデーション照明を行う際に色相、明度および彩度それぞれを調整するための１または複数の調整スイッチ素子等が含まれる。
【００３９】  光源部１は、複数の色の光を放射可能な第１および第２ＬＥＤ光源１０−１、１０−２を有し、第１ＬＥＤ光源１０−１から放射された第１光の一部と第２ＬＥＤ光源１０−２から放射された第２光の一部とが放射角度領域で互いに重なるように前記第１および第２光を放射するものである。このような光源部１は、第１光の一部と第２光の一部とを放射角度領域で互いに重ねるので、第１光による色相Ａの領域から、色相Ａと色相Ｂとの中間色の中間領域を経て、第２光による色相Ｂの領域に至る、明るさや色彩を連続的に変化させて照明するグラデーション照明で例えば壁面や天井面等の被照明面を照明できる。
【００４０】  これら第１および第２ＬＥＤ光源１０−１、１０−２それぞれは、互いに同一の構成であるため、添え字を省略し、纏めて説明する。ＬＥＤ光源１０は、昼白光を放射する昼白色ＬＥＤ１１と、電球色光を放射する電球色ＬＥＤ１２と、ＲＧＢＬＥＤ１３とを備える。ＬＥＤ光源１０は、これら昼白色ＬＥＤ１１、電球色ＬＥＤ１２およびＲＧＢＬＥＤ１３を１つずつ備えて構成されても良いが、より広い放射角度領域をグラデーション照明するために、本実施形態では、複数の昼白色ＬＥＤ１１、複数の電球色ＬＥＤ１２および複数のＲＧＢＬＥＤ１３を備えている。これら複数の昼白色ＬＥＤ１１、複数の電球色ＬＥＤ１２および複数のＲＧＢＬＥＤ１３は、図７に示すように、配線パターンを持つ一方向に長尺な板状のＬＥＤ基板１４上に、前記一方向に沿って並設される。これら複数の昼白色ＬＥＤ１１、複数の電球色ＬＥＤ１２および複数のＲＧＢＬＥＤ１３は、例えば、昼白色ＬＥＤ１１、ＲＧＢＬＥＤ１３、電球色ＬＥＤ１２およびＲＧＢＬＥＤ１３を一組として複数組がＬＥＤ基板１４上に並設されている。
【００４１】  昼白色ＬＥＤ１１は、例えば、Ｂ光ＬＥＤ素子と、前記Ｂ光ＬＥＤから放射されたＢ光の一部で励起され補色の黄色を放射する黄色蛍光体とを備え、これらを調整して色温度を約５０００Ｋに調整することで昼白色光を放射するものである。また例えば、昼白色ＬＥＤ１１は、近紫外光または紫光を発光する紫光ＬＥＤ素子と、前記紫光ＬＥＤから放射された光の一部で励起され赤色、緑色および青色をそれぞれ放射する赤色蛍光体、緑色蛍光体および青色蛍光体の各蛍光体とを備え、これらを調整して色温度を約５０００Ｋに調整することで昼白色光を放射するものである。昼白色ＬＥＤ１１には、電源部４から直流電力が供給され、照明制御部２の後述の第１電流制御回路２３−１による電流値の制御によって昼白色光の光量が調整される。なお、白昼色の代わりに、５０００Ｋではなく、より高い色温度のＬＥＤが使用されても良い。
【００４２】  電球色ＬＥＤ１２も、昼白色ＬＥＤ１１と同様に、例えば、Ｂ光ＬＥＤ素子と、黄色蛍光体とを備え、これらを調整して色温度を約３０００Ｋに調整することで電球色光を放射するものである。また例えば、電球色ＬＥＤ１２は、紫光ＬＥＤ素子と、赤色蛍光体、緑色蛍光体および青色蛍光体の各蛍光体とを備え、これらを調整して色温度を約３０００Ｋに調整することで電球色光を放射するものである。電球色ＬＥＤ１２には、電源部４から直流電力が供給され、照明制御部２の後述の第２電流制御回路２３−２による電流値の制御によって電球色光の光量が調整される。なお、電球色の代わりに、３０００Ｋではなく、より低い色温度のＬＥＤが使用されても良い。
【００４３】  ＲＧＢＬＥＤ１３は、例えば、Ｒ光ＬＥＤ素子と、Ｇ光ＬＥＤ素子と、Ｂ光ＬＥＤ素子とを備え、これらを調整して各色光を放射するものである。すなわち、ＲＧＢＬＥＤ１３は、複数の色の光を放射可能なＬＥＤ光源である。ＲＧＢＬＥＤ１３のＲ光ＬＥＤ素子、Ｇ光ＬＥＤ素子およびＢ光ＬＥＤ素子には、電源部４から個別に直流電力がそれぞれ供給され、照明制御部２の後述の第３電流制御回路２３−３による各電流値の個別の制御によって各色光の光量が調整される。
【００４４】  このような光源部１の一構造例について、より具体的に説明すると、図６に示すように、光源部１は、一方向に長尺な略角柱形状の例えばアルミニウム製の本体１７を備える。本体１７には、一稜線から内部に向けて形成された、前記一方向に沿って長尺な凹所１７１が形成されている。凹所１７１は、前記一稜線から内部に向かう方向の途中で２つに分岐しており、２個の第１および第２凹所１７１−１、１７１−２を備える。第１凹所１７１−１の両側面は、それぞれ、第１凹所１７１−１の中央から外側に向けて膨らむ曲面形状であり、所望のグラデーション照明を阻害しない範囲で、若干、光散乱性を有していても良く、その第１底面には、例えばアルミニウム製の放熱板１５−１を介して第１ＬＥＤ基板１４−１が配設されている。第１ＬＥＤ基板１４−１上には、上述した複数の昼白色ＬＥＤ１１−１、複数の電球色ＬＥＤ１２−１および複数のＲＧＢＬＥＤ１３−１が前記一方向に沿って並設されている。すなわち、第１凹所１７１−１の第１底面には、第１ＬＥＤ光源１０−１が配設されている。同様に、第２凹所１７１−２の両側面は、それぞれ、第２凹所１７１−２の中央から外側に向けて膨らむ曲面形状であり、所望のグラデーション照明を阻害しない範囲で、若干、光散乱性を有していても良く、その第２底面には、例えばアルミニウム製の放熱板１５−２を介して第２ＬＥＤ基板１４−２が配設されている。第２ＬＥＤ基板１４−２上には、上述した複数の昼白色ＬＥＤ１１−２、複数の電球色ＬＥＤ１２−２および複数のＲＧＢＬＥＤ１３−２が前記一方向に沿って並設されている。すなわち、第２凹所１７１−２の第２底面には、第２ＬＥＤ光源１０−２が配設されている。これら第１ＬＥＤ光源１０−１と第２ＬＥＤ光源１０−２とは、第１ＬＥＤ光源１０−１の第１光軸ＡＸ１と第２ＬＥＤ光源１０−２の第２光軸ＡＸ２とが互いに交差するように、第１および第２凹所１７１−１、１７１−２それぞれに配置されている。例えば、第１凹所１７１−１の第１底面と第２凹所１７１−２の第２底面とは、それらの各延長面で互いに交差するように、形成されている。第１ＬＥＤ光源１０−１の第１光軸ＡＸ１は、前記一方向に沿って並設された複数の昼白色ＬＥＤ１１−１、複数の電球色ＬＥＤ１２−１および複数のＲＧＢＬＥＤ１３−１の各放射面（発光面）によって形成された第１平面の第１法線方向である。第２ＬＥＤ光源１０−２の第２光軸ＡＸ１は、前記一方向に沿って並設された複数の昼白色ＬＥＤ１１−２、複数の電球色ＬＥＤ１２−２および複数のＲＧＢＬＥＤ１３−２の各放射面（発光面）によって形成された第２平面の第２法線方向である。このように第１光軸ＡＸ１と第２光軸ＡＸ２とを互いに交差させることで、照明装置の発光窓であるカバー部材１６の位置で、第１ＬＥＤ光源１０−１からの光束と第２ＬＥＤ光源１０−２からの光束とを重ねることができる発光窓を小面積化できる。すなわち、照明装置全体をコンパクトに構成できる。そして、光源部１から所定の距離だけ離れた放射角度領域では、第１光の一部と第２光の一部とが互いに重なり、被照射面でグラデーション照明が実現される。なお、被照射面上の各点は、光源部１から等距離であ���ても良く、また光源部１から必ずしも等距離である必要はなく光源部１から距離が変化しても良い。そして、本体１７における凹所１７１の開口近傍には、前記一方向に沿って一対の溝が形成されており、これら一対の溝それぞれに、前記一方向に沿って長尺な湾曲した板状のカバー部材１６の両端部が嵌め込まれ、凹所１７１の開口がカバー部材１６によって閉塞されている。カバー部材１６は、第１ＬＥＤ光源１０−１から放射される第１光および第２ＬＥＤ光源１０−２から放射される第２光に対し、透光性を有する材料で形成されている。なお、カバー部材１６は、所望のグラデーション照明を阻害しない範囲で、若干、光散乱性を有していても良い。また、一定の指向性を有しても良い。
【００４５】  なお、光源部１は、ＲＧＢＬＥＤ１３のみを備えて構成されても良いが、本実施形態のように、昼白色ＬＥＤ１１や電球色ＬＥＤ１２をさらに備えることで、ＲＧＢＬＥＤ１３のみを備えて構成される場合に較べて、演色性を向上できる。また、照明装置ＬＤによって放射させたいグラデーション照明に、昼白色ＬＥＤ１１の昼白色の成分を多く含む場合や、電球色ＬＥＤ１２の電球色の成分を多く含む場合に、本実施形態の照明装置ＬＤは、より効率よく色と明るさを得ることができる。
【００４６】  照明制御部２は、互いに異なる色で第１および第２光を放射するように第１および第２ＬＥＤ光源１０−１、１０−２を制御するものである。照明制御部２は、例えば、照明装置側制御処理部（以下、「ＬＤ側制御処理部」と略記する。）２１と、照明装置側記憶部（以下、「ＬＤ側記憶部」と略記する。）２２と、電流制御部２３と、照明装置側ブルートゥース通信モジュール（以下、「ＬＤ側ブルートゥース通信モジュール」と略記する。）２４とを備える。
【００４７】  ＬＤ側ブルートゥース通信モジュール２４は、ＬＤ側制御処理部２１に接続され、ブルートゥース（登録商標）の通信規格に準拠した通信信号で外部の機器と通信する装置である。
【００４８】  電流制御部２３は、ＬＤ側制御処理部２１の制御に従って第１および第２ＬＥＤ光源１０−１、１０−２における昼白色ＬＥＤ１１−１、１１−２、電球色ＬＥＤ１２−１、１２−２およびＲＧＢＬＥＤ１３−１、１３−２それぞれに流れる各電流を制御する回路である。電流制御部２３は、例えば、昼白色ＬＥＤ１１−１、１１−２それぞれに流れる各電流を制御する第１電流制御回路２３−１と、電球色ＬＥＤ１２−１、１２−２それぞれに流れる各電流を制御する第２電流制御回路２３−２と、ＲＧＢＬＥＤ１３−１、１３−２それぞれに流れる各電流を制御する第３電流制御回路２３−３とを備える。これら第１ないし第３電流制御回路２３−１〜２３−３それぞれは、例えば、ＬＤ側制御処理部２１によって制御される可変電流源等を備えて構成される。電流制御部２３は、ＰＷＭ（Ｐｕｌｓｅ  Ｗｉｄｔｈ  Ｍｏｄｕｌａｔｉｏｎ）制御によって電流を可変しても良い。
【００４９】  ＬＤ側記憶部２２は、ＬＤ側制御処理部２１に接続され、ＬＤ側制御処理部２１としてのＣＰＵによって実行される各種の所定のプログラムおよび各種の所定のデータを記憶する回路である。前記各種の所定のプログラムには、例えば、ＳＰ側ブルートゥース通信モジュールＢＭおよびＬＤ側ブルートゥース通信モジュール２４を介してスマートフォンＳＰから受信した信号に基づいてグラデーション照明するための照明制御プログラム等が含まれる。前記各種の所定のデータには、ＳＰ側ブルートゥース通信モジュールＢＭおよびＬＤ側ブルートゥース通信モジュール２４を介してスマートフォンＳＰから受信した信号等の、前記所定のプログラムの実行に必要なデータ等が含まれる。このようなＬＤ側記憶部２２は、例えばＲＯＭやＥＥＰＲＯＭ等を備える。そして、ＬＤ側記憶部２２は、前記所定のプログラムの実行中に生じるデータ等を記憶するいわゆる前記ＣＰＵのワーキングメモリとなるＲＡＭ等を含む。
【００５０】  ＬＤ側制御処理部２１は、照明装置ＬＤの各部を当該各部の機能に応じてそれぞれ制御することによって照明装置ＬＤ全体の動作を制御するものである。そして、ＬＤ側制御処理部２１は、グラデーション照明するために、スマートフォンＳＰから受信した信号に応じて照明装置ＬＤにおける第１光の第１色および第２光の第２色を制御するものである。ＬＤ側制御処理部２１は、例えば、ＣＰＵおよびその周辺回路を備えて構成される。
【００５１】  次に、本実施形態の動作について説明する。図９は、実施形態の照明システムにおける発光色制御の概略動作を説明するための図である。図１０は、実施形態の照明システムによるグラデーション照明の一例を示す図である。図１０Ａは、画像データによって表される画像の一例であり、図１０Ｂは、図１０Ａに示す画像に基づいて実施形態の照明装置ＬＤによって形成されたグラデーション照明の一例である。図１０Ｃは、画像データによって表される画像の他の一例であり、図１０Ｄは、図１０Ｃに示す画像に基づいて実施形態の照明装置ＬＤによって形成されたグラデーション照明の一例である。図１１は、実施形態の照明システムにおけるスマートフォンの動作を示すフローチャートである。図１２は、実施形態の照明システムにおける照明装置の動作を示すフローチャートである。図１３は、実施形態の照明システムにおける画像量子化の動作を示すフローチャートである。図１４は、実施形態の照明システムにおける第１態様の領域選択および色決定の動作を説明するための図である。図１４Ａは、画像標本化の動作を説明するための図であり、図１４（Ｂ）は、画像量子化の動作を説明するための図であり、図１４Ｃは、領域選択の動作を説明するための図であり、そして、図１４Ｄは、色決定の動作を説明するための図である。図１５は、実施形態の照明システムにおける第２態様の領域選択および色決定の動作を説明するための図である。図１６は、実施形態の照明システムにおける第３態様の領域選択および色決定の動作を説明するための図である。図１７は、実施形態の照明システムにおける第４態様の領域選択および色決定の動作を説明するための図である。図１８は、実施形態の照明システムにおける第５態様の領域選択および色決定の動作を説明するための図である。図１９は、実施形態の照明システムにおける第６態様の領域選択および色決定の動作を説明するための図である。
【００５２】  本実施形態の照明システムＬＳにおける発光色制御装置の一例であるスマートフォンＳＰでは、ＳＰ側制御処理部ＰＣの画像取得部６２は、まず、画像を表す画像データを前記図略の撮像装置やＳＰ側記憶部ＭＹ等から取得する。次に、ＳＰ側制御処理部ＰＣの領域選択部６３は、図９に示すように、画像取得部６２で取得された画像データで表される画像の中から、少なくとも２個以上の複数の領域ＡＲｍを選択する。図９に示す例では、２個の領域ＡＲ１、ＡＲ２が選択されている。次に、ＳＰ側制御処理部ＰＣの色決定部６４は、領域選択部６３で選択された複数の領域ＡＲｍにおける各色情報に基づいて前記第１および第２光の第１および第２色を決定する。第１および第２色は、例えば、領域選択部６３で選択された複数の領域ＡＲｍにおける色そのものであって良く、また例えば、領域選択部６３で選択された複数の領域ＡＲｍにおける色に基づいて決定された色であって良い。そして、信号生成部６５は、照明装置ＬＤへ出力するために、色決定部６４で決定された第１および第２色を表す信号を生成し、ＳＰ側ブルートゥース通信モジュールＢＭを用いて外部へ送信する。
【００５３】  そして、この信号をＬＤ側ブルートゥース通信モジュール２４で受信すると、照明装置ＬＤでは、この受信した信号に格納された第１および第２色で発光するように、ＬＤ側制御処理部２１は、電流制御部２３を用いて第１および第２ＬＥＤ光源１０−１、１０−２それぞれを駆動制御する。この駆動制御によって第１および第２ＬＥＤ光源１０−１、１０−２は、第１および第２色で発光し、所定の被照明面をグラデーション照明する。
【００５４】  したがって、本実施形態における照明システムＬＳ、発光色制御装置（上述の例ではスマートフォンＳＰ）、これに実装された発光色制御方法および発光色制御プログラムは、画像の中から複数の領域ＡＲｎを選択し、それらの各色情報に基づいて前記第１光の第１色および前記第２光の第２色を決定する。このため、上記照明システムＬＳ、発光色制御装置、これに実装された発光色制御方法および発光色制御プログラムは、グラデーション照明の基となる画像を簡略化することでデフォルメできる。したがって、上記照明システムＬＳ、発光色制御装置、これに実装された発光色制御方法および発光色制御プログラムは、グラデーション照明の照明装置ＬＤによって画像の印象を概念的に表現できる。
【００５５】  例えば、図１０Ａに示す、水平線から朝日が昇る明け方の海岸を写した画像に対し、本実施形態の照明システムＬＳが上述のように動作することによって、照明装置ＬＤは、図１０Ｂに示すように、前記第１色を黄色として第１ＬＥＤ光源１０−１から黄色光を放射するとともに前記第２色を水色として第２ＬＥＤ光源１０−２から水色光を放射することで、被照射面の一方端を黄色光で照明するとともにその他方端を水色光で照明し、被照射面をグラデーション照明する。また例えば、図１０Ｃに示す、夕暮れ時の風景を写した画像に対し、本実施形態の照明システムＬＳが上述のように動作することによって、照明装置ＬＤは、図１０Ｄに示すように、前記第１色を赤色として第１ＬＥＤ光源１０−１から赤色光を放射するとともに前記第２色を黄色として第２ＬＥＤ光源１０−２から黄色光を放射することで、被照射面の一方端を赤色光で照明するとともにその他方端を黄色光で照明し、被照射面をグラデーション照明する。このように図１０Ａに示す画像は、図１０Ｂに示すグラデーション照明で概念的に表現され、図１０Ｃに示す画像は、図１０Ｄに示すグラデーション照明で概念的に表現される。
【００５６】  より具体的には、本実施形態の照明システムＬＳにおける発光色制御装置の一例としてのスマートフォンＳＰおよび照明装置ＬＤは、次のように動作する。
【００５７】  図１１において、スマートフォンＳＰでは、まず、ＳＰ側制御処理部ＰＣの画像取得部６２によって、画像を表す画像データが前記図略の撮像装置やＳＰ側記憶部ＭＹ等から取得される。例えば、ＳＰ側記憶部ＭＹから画像データが読み込まれる（Ｓ１１）。
【００５８】  次に、ＳＰ側制御処理部ＰＣの領域選択部６３における画像標本化部６３１によって、画像取得部６２で取得された画像データで表される画像が所定の形状で複数のブロック領域ＡＲｎに分割されることで、前記画像が標本化される（Ｓ１２）。例えば、図１４Ａに示すように、画像が、互いに同一形状で同一サイズの長方形で、互いに直交する縦方向および横方向の２方向に分割されて、複数のブロック領域ＡＲｎに分割される。ブロック領域ＡＲｎの大きさ（サイズ）は、前記画像の大きさ（サイズ）に応じて適宜に設定される。図１４Ａに示す例では、画像が２次元アレイ状に配列された９０個のブロック領域ＡＲ１１〜ＡＲ９１０で分割されるように、ブロック領域の大きさが設定されている。
【００５９】  次に、ＳＰ側制御処理部ＰＣの領域選択部６３における画像量子化部６３２によって、画像標本化部６３１で標本化された前記複数のブロック領域ＡＲｎそれぞれに対し、当該ブロック領域ＡＲｎにおける色情報に基づいて当該ブロック領域ＡＲｎの色を代表する代表色が求められることで、前記複数のブロック領域ＡＲｎそれぞれの各色が代表色に量子化される（Ｓ１３）。例えば、図１４Ａに示す画像の各ブロック領域ＡＲｎは、画像量子化によって、図１４Ｂに示すように、代表色１色で表される。図１４Ｂは、画像量子化の処理途中を示し、１行９列、５行３列、５行９列、７行４列および７行８列の各ブロック領域の色が画像量子化されて代表色１色で表されている。
【００６０】  このような画像量子化では、当該ブロック領域ＡＲｎにおける色情報の所定の統計値が前記代表色とされる。この所定の統計値は、好ましくは、平均値、加重平均値、中央値および中心値のうちのいずれか１つであり、これらの中から適宜に選択された値である。
【００６１】  例えば、前記所定の統計値が平均値である場合、当該ブロック領域ＡＲｎの全画素に対し、その画素値の平均値が求められ、この求められた平均値が代表値とされる。より具体的には、当該ブロック領域ＡＲｎの全画素に対し、色相の平均値が求められ、明度の平均値が求められ、彩度の平均値が求められ、そして、これら求められた色相、明度および彩度の各平均値によって定義される色が当該ブロック領域ＡＲｎの代表色となる。
【００６２】  より具体的には、図１３に示すように、まず、当該ブロック領域ＡＲｎにおいて、各色ドット（各画素の各色）の色情報（Ｒ（赤色）の値、Ｇ（緑色）の値、Ｂ（青色）の値）が認識され（Ｓ３１）、次に、各色ドットをＲＧＢ表色系から色度・明るさデータに変換される（Ｓ３２）。次に、全色ドットの色度・明るさデータの各平均値が算出される（Ｓ３３）。そして、この求められた色度の平均値、明るさの平均値の各データがＲＧＢ表色系に戻され（Ｓ３４）、このＲＧＢ表色系の色が当該ブロック領域ＡＲｎの代表色とされる（Ｓ３５）。
【００６３】  また例えば、前記所定の統計値が加重平均値である場合、当該ブロック領域ＡＲｎの全画素に対し、その画素値の加重平均値が求められ、この求められた加重平均値が代表値とされる。より具体的には、当該ブロック領域ＡＲｎの全画素に対し、色相の加重平均値が求められ、明度の加重平均値が求められ、彩度の加重平均値が求められ、そして、これら求められた色相、明度および彩度の各加重平均値によって定義される色が当該ブロック領域ＡＲｎの代表色となる。前記加重平均する際に用いられる重みは、色相の各値、明度の各値および彩度の各値に対し予め適宜に設定されてよく、また、実際のブロック領域の画像に応じて設定されてよい。例えば、当該ブロック領域ＡＲｎの全画素を対象に、色相の度数分布が求められ、色相の各値の重みは、この求めた色相の度数分布における頻度に応じて設定され、当該ブロック領域ＡＲｎの全画素を対象に、明度の度数分布が求められ、明度の各値の重みは、この求めた明度の度数分布における頻度に応じて設定され、そして、当該ブロック領域ＡＲｎの全画素を対象に、彩度の度数分布が求められ、彩度の各値の重みは、この求めた彩度の度数分布における頻度に応じて設定される。
【００６４】  また例えば、前記所定の統計値が中央値である場合、この中央値は、所定の範囲ごとに区分した画素値を横軸とするとともに各区分ごとの頻度を縦軸とした場合、当該ブロック領域ＡＲｎの全画素を対象とした度数分布の最も頻度の多い区分の値である。より具体的には、例えば、色相の中央値は、当該ブロック領域ＡＲｎの全画素を対象に、色相の度数分布を求め、この求めた色相の度数分布における最も頻度の多い区分の値である。前記区分の値は、以下の同様に、例えば区分の真ん中の値あるいは区分の平均値等である。明度の中央値は、当該ブロック領域ＡＲｎの全画素を対象に、明度の度数分布を求め、この求めた明度の度数分布における最も頻度の多い区分の値である。彩度の中央値は、当該ブロック領域ＡＲｎの全画素を対象に、彩度の度数分布を求め、この求めた彩度の度数分布における最も頻度の多い区分の値である。そして、これら色相の中央値、明度の中央値および彩度の中央値によって定義される色が当該ブロック領域ＡＲｎの代表色となる。
【００６５】  また例えば、前記所定の統計値が中心値である場合、この中心値は、所定の範囲ごとに区分した画素値を横軸とするとともに各区分ごとの頻度を縦軸とした場合、当該ブロック領域ＡＲｎの全画素を対象とした度数分布における頻度の有る最小の区分の値（度数分布の区分の最小値）と、頻度のある最大の区分の値（度数分布の区分の最大値）との真ん中の値である。より具体的には、例えば、色相の中心値は、当該ブロック領域ＡＲｎの全画素を対象に、色相の度数分布を求め、この求めた色相の度数分布における度数分布の区分の最小値と度数分布の区分の最大値との真ん中の値である。明度の中心値は、当該ブロック領域ＡＲｎの全画素を対象に、明度の度数分布を求め、この求めた明度の度数分布における度数分布の区分の最小値と度数分布の区分の最大値との真ん中の値である。彩度の中心値は、当該ブロック領域ＡＲｎの全画素を対象に、彩度の度数分布を求め、この求めた彩度の度数分布における度数分布の区分の最小値と度数分布の区分の最大値との真ん中の値である。そして、これら色相の中心値、明度の中心値および彩度の中心値によって定義される色が当該ブロック領域ＡＲｎの代表色となる。
【００６６】  次に、ＳＰ側制御処理部ＰＣの領域選択部６３における選択部６３３によって、画像標本化部６３１で標本化された複数のブロック領域ＡＲｎの中から、画像量子化部６３２で量子化された代表色に基づいて、少なくとも２個以上の複数のブロック領域ＡＲｍが前記複数の領域として選択される（Ｓ１４）。例えば、図１４Ａに示す画像の各ブロック領域ＡＲｎから、各ブロック領域ＡＲｎの各代表色に基づいて、１行９列および５行６列のブロック領域が選択されている。
【００６７】  なお、この処理Ｓ１４の領域選択処理における、より具体的な各態様については、後述する。
【００６８】  次に、ＳＰ側制御処理部ＰＣの色決定部６４によって、領域選択部６３で上述のように選択された複数の領域ＡＲｍにおける各色情報に基づいて、前記第１および第２光の第１および第２色が決定される（Ｓ１５）。第１および第２色は、例えば、領域選択部６３で選択された複数の領域ＡＲｍにおける色そのもの（例えば代表色そのもの等）であって良く、また例えば、図１４Ｄに示すように、領域選択部６３で選択された複数の領域ＡＲｍにおける色に基づいて決定された色（例えば代表色に基づいて決定された色等（例えば前記代表色の色相および明度をそのままに維持するとともに前記代表色の彩度を照明装置ＬＤで発光可能な程度に鮮やかな彩度に変換した色等）であって良い。
【００６９】  次に、ＳＰ側制御処理部ＰＣの色決定部６４によって、色相、明度および彩度がＲＧＢへ周知の変換式によって色データが変換される（Ｓ１６）。
【００７０】  そして、信号生成部６５によって、照明装置ＬＤへ出力するために、色決定部６４で決定され色データ変換された第１および第２色を表す信号が生成され、この信号は、ＳＰ側ブルートゥース通信モジュールＢＭによって、外部へ送信される（Ｓ１７）。そして、図１１に示す動作では、色決定部６４で決定され色データ変換された第１および第２色は、ＳＰ側記憶部ＭＹに記憶され、保存される。
【００７１】  一方、照明装置ＬＤでは、図１２において、ＳＰ側ブルートゥース通信モジュールＭＢから前記信号をＬＤ側ブルートゥース通信モジュール２４で受信すると（Ｓ２１）、この受信した前記信号に格納されている第１および第２色（すなわち、色決定部６４で決定され色データ変換された第１および第２色）が、ＬＤ側制御処理部２１によってＬＤ側記憶部２２に記憶され、保存される（Ｓ２５）。そして、ＬＤ側制御処理部２１は、この受信した前記信号に格納されている第１および第２色（すなわち、色決定部６４で決定され色データ変換された第１および第２色）で第１および第２ＬＥＤ光源１０−１、１０−２が発光するように、制御信号を生成し、この制御信号を電流制御部２３へ出力する（Ｓ２２）。
【００７２】  次に、電流制御部２３は、ＬＤ側制御処理部２１から入力された制御信号に応じて、第１ないし第３電流制御回路それぞれで、昼白色ＬＥＤ１１−１、１１−２、電球色ＬＥＤ１２−１、１２−２およびＲＧＢＬＥＤ１３−１、１３−２それぞれを電流制御し（Ｓ２３）、これによって第１および第２ＬＥＤ光源１０−１、１０−２は、前記第１および第２色で発光する（Ｓ２４）。これによって照明装置ＬＤは、被照明面をグラデーション照明する。
【００７３】  このような照明システムＬＳ、発光色制御装置（上述の例ではスマートフォンＳＰ）、これに実装された発光色制御方法および発光色制御プログラムは、グラデーション照明の基となる画像を、画像標本化して画像量子化するので、前記画像の特徴を活かしてデフォルメできる。したがって、上記照明システムＬＳ、発光色制御装置、これに実装された発光色制御方法および発光色制御プログラムは、グラデーション照明の照明装置ＬＤによって画像をより適切に概念的に表現できる。
【００７４】  次に、上述の処理Ｓ１４の領域選択処理の各態様について説明する。上述したように、領域選択部６３は、例えば、第１ないし第６態様を採り得、これに応じて処理Ｓ１４の領域選択処理は、次の第１ないし第６態様で動作し得る。
【００７５】  まず、上述の第１態様の領域選択部６３の場合では、ＳＰ側制御処理部ＰＣの領域選択部６３における選択部６３３によって、画像標本化部６３１で標本化された複数のブロック領域ＡＲｎの中から、隣接するブロック領域ＡＲｎに対し前記代表色の色相、明度および彩度の中のいずれかが所定の第１閾値以上異なるブロック領域ＡＲｍが、少なくとも２個以上、前記複数の領域として選択される。例えば、色相、明度および彩度の中でその差異の大きい順にブロック領域ＡＲｍが選択される。前記第１閾値は、色相、明度および彩度それぞれに対し、適宜な値に設定される。例えば、図１４Ａに示す水平線から朝日が昇る明け方の海岸を写した画像に対し、この場合では、図１４Ｃに示すように、空を写した、代表色が青色であるブロック領域ＡＲ１９と、朝日を写した、代表色が黄色であるブロック領域ＡＲ５６が選択される。そして、ＳＰ側制御処理部ＰＣの色決定部６４によって、図１４Ｄに示すように、領域選択部６３で上述のように選択されたブロック領域ＡＲ１９、ＡＲ５６の青色および黄色に基づいて、前記第１および第２光の第１および第２色が決定される。
【００７６】  この第１態様によれば、前記画像における複数のブロック領域ＡＲｎの中から、隣接するブロック領域ＡＲｎに対し前記代表色の色相、明度および彩度の中のいずれかが所定の第１閾値以上異なるブロック領域ＡＲｍが選択される。このため、このような照明システムＬＳ、発光色制御装置（上述の例ではスマートフォンＳＰ）、これに実装された発光色制御方法および発光色制御プログラム（以下、各態様の説明では、「照明システム等」と略記する。）では、画像の中から、特徴的な色のブロック領域ＡＲｍが選択される。したがって、上記照明システムＬＳ等は、グラデーション照明の照明装置ＬＤによって画像をより適切に概念的に表現できる。
【００７７】  上述の第２態様の領域選択部６３の場合では、ＳＰ側制御処理部ＰＣの領域選択部６３における選択部６３３によって、画像標本化部６３１で標本化された複数のブロック領域ＡＲｎの中から、前記代表色における色相差、彩度差および明度差が所定の範囲内であるブロック領域ＡＲｍを選択して１つのグループＧＲｎに纏め、前記纏めたグループに属するブロック領域ＡＲｍの総面積が所定の第２閾値以上であるグループＧＲｍの中から、前記複数のブロック領域ＡＲｍとして、少なくとも２個以上の複数のグループＧＲｍが選択される。例えば、その面積が広い順にグループＧＲｍが選択される。前記第２閾値は、適宜な面積に設定される。例えば、図１４Ａに示す前記画像に対し、この場合では、図１５に示すように、空を写した、代表色が青色系であるブロック領域ＡＲ１２〜ＡＲ１９、ＡＲ２１〜ＡＲ２１０、ＡＲ３２〜ＡＲ３９が１つの第１グループＧＲ１に纏められ、代表色が黄色系であるブロック領域ＡＲ５１〜ＡＲ５１０が他の１つの第２グループＧＲ２に纏められ、そして、代表色が紺色系であるブロック領域ＡＲ６２〜ＡＲ６９、ＡＲ７１〜ＡＲ７１０、ＡＲ８２〜ＡＲ８９が他の１つの第３グループＧＲ３に纏められ、その面積が広い順に第１および第３グループＧＲ１、３が選択される。そして、ＳＰ側制御処理部ＰＣの色決定部６４によって、図１５に示すように、領域選択部６３で上述のように選択された第１および第３グループＧＲ１、３の青色系および紺色系に基づいて、前記第１および第２光の第１および第２色が決定される。
【００７８】  この第２態様によれば、前記画像における複数のブロック領域ＡＲｎの中から、前記代表色が所定の範囲内であるブロック領域ＡＲｍが選択されて１つのグループＧＲｎに纏められ、前記纏められたグループＧＲｎに属するブロック領域ＡＲｍの総面積が所定の第２閾値以上であるグループＧＲｍの中から、前記複数のブロック領域ＡＲｍとして少なくとも２個以上の複数のグループＧＲｍが選択される。このため、上記照明システムＬＳ等では、前記画像における複数のブロック領域の中から、一定の範囲内で同色であって比較的広い範囲に亘って分布するブロック領域ＡＲｍ（グループＧＲｍ）が選択される。したがって、このような照明システムＬＳ等は、グラデーション照明の照明装置ＬＤによって画像をより適切に概念的に表現できる。
【００７９】  上述の第３態様の領域選択部６３の場合では、ＳＰ側制御処理部ＰＣの領域選択部６３における選択部６３３によって、画像標本化部６３１で標本化された複数のブロック領域ＡＲｎの中から、前記代表色における色相差、彩度差および明度差が所定の範囲内であるブロック領域ＡＲｍを選択して１つのグループＧＲｎに纏め、前記纏めたグループに属するブロック領域ＡＲｍの総面積が所定の第２閾値以上であるグループＧＲｍであって彩度または明度が所定の第３閾値以上であるグループの中から、前記複数のブロック領域ＡＲｍとして、少なくとも２個以上の複数のグループＧＲｍが選択される。例えば、その面積が広い順に、そして、明度および彩度の中で大きい順（明るい順、鮮やかな順）に、グループＧＲｍが選択される。グループＧＲｍの明度は、例えば、当該グループＧＲｍに属する各ブロック領域の各代表色における各明度の平均値とされ、グループＧＲｍの彩度は、例えば、当該グループＧＲｍに属する各ブロック領域の各代表色における各彩度の平均値とされる。前記第３閾値は、明度および彩度それぞれに対し、適宜な値に設定される。例えば、図１４Ａに示す前記画像に対し、この場合では、図１６に示すように、空を写した、代表色が青色系であるブロック領域ＡＲ１２〜ＡＲ１９、ＡＲ２１〜ＡＲ２１０、ＡＲ３２〜ＡＲ３９が１つの第１グループＧＲ１に纏められ、代表色が黄色系であるブロック領域ＡＲ５１〜ＡＲ５１０が他の１つの第２グループＧＲ２に纏められ、そして、代表色が紺色系であるブロック領域ＡＲ６２〜ＡＲ６９、ＡＲ７１〜ＡＲ７１０、ＡＲ８２〜ＡＲ８９が他の１つの第３グループＧＲ３に纏められ、その面積が広い順に、そして、明度および彩度の中で大きい順（明るい順、鮮やかな順）に、第１および第２グループＧＲ１、２が選択される。そして、ＳＰ側制御処理部ＰＣの色決定部６４によって、図１６に示すように、領域選択部６３で上述のように選択された第１および第２グループＧＲ１、２の青色系および黄色系に基づいて、前記第１および第２光の第１および第２色が決定される。
【００８０】  この第３態様によれば、前記画像における複数のブロック領域ＡＲｎの中から、前記代表色が所定の範囲内であるブロック領域ＡＲｍが選択されて１つのグループＧＲｎに纏められ、前記纏められたグループＧＲｎに属するブロック領域ＡＲｍの総面積が所定の第２閾値以上であって彩度または明度が所定の第３閾値以上であるグループＧＲｍの中から、前記複数のブロック領域ＡＲｍとして少なくとも２個以上の複数のグループＧＲｍが選択される。このため、上記照明システムＬＳ等では、前記画像における複数のブロック領域ＡＲｎの中から、一定の範囲内で同色であって比較的広い範囲に亘って分布する、照明装置ＬＤで発光可能なブロック領域ＡＲｍ（グループＧＲｍ）が選択される。したがって、このような照明システムＬＳ等は、グラデーション照明の照明装置ＬＤによって画像をより適切に概念的に表現できる。
【００８１】  上述の第４態様の領域選択部６３の場合では、ＳＰ側制御処理部ＰＣの領域選択部６３における選択部６３３によって、画像標本化部６３１で標本化された複数のブロック領域ＡＲｎの中から、隣接するブロック領域ＡＲｎに対し前記代表色の色相、明度および彩度の中のいずれかが所定の第１閾値以上異なるブロック領域ＡＲｍが、前記少なくとも２個以上の複数のブロック領域ＡＲｍのうちの少なくとも１つとして少なくとも１つのブロック領域ＡＲｍが選択され、画像標本化部６３１で標本化された複数のブロック領域ＡＲｎの中から、前記代表色における色相差、彩度差および明度差が所定の範囲内であるブロック領域ＡＲｍを選択して１つのグループＧＲｎに纏め、前記纏めたグループＧＲｎに属するブロック領域ＡＲｍの総面積が所定の第２閾値以上であるグループＧＲｍの中から、前記少なくとも２個以上の複数のブロック領域ＡＲｍのうちの少なくとも他の１つとして少なくとも１つのブロック領域ＡＲｍが選択される。図１４Ａに示す前記画像に対し、この場合では、図１７に示すように、色相、明度および彩度の中でその差異が最も大きい、朝日を写した代表色が黄色であるブロック領域ＡＲ５６が選択され、そして、空を写した、代表色が青色系であるブロック領域ＡＲ１２〜ＡＲ１９、ＡＲ２１〜ＡＲ２１０、ＡＲ３２〜ＡＲ３９が１つの第１グループＧＲ１に纏められ、代表色が黄色系であるブロック領域ＡＲ５１〜ＡＲ５１０が他の１つの第２グループＧＲ２に纏められ、そして、代表色が紺色系であるブロック領域ＡＲ６２〜ＡＲ６９、ＡＲ７１〜ＡＲ７１０、ＡＲ８２〜ＡＲ８９が他の１つの第３グループＧＲ３に纏められ、その面積が最も広い第１グループＧＲ１が選択される。そして、ＳＰ側制御処理部ＰＣの色決定部６４によって、図１７に示すように、領域選択部６３で上述のように選択されたブロック領域ＡＲ５６および第１グループＧＲ１の黄色および青色系に基づいて、前記第１および第２光の第１および第２色が決定される。
【００８２】  この第４態様によれば、前記画像における複数のブロック領域ＡＲｎの中から、隣接するブロック領域ＡＲｎに対し前記代表色の色相、明度および彩度の中のいずれかが所定の第１閾値以上異なるブロック領域ＡＲｍが、前記少なくとも２個以上の複数のブロック領域ＡＲｍのうちの少なくとも１つとして少なくとも１つ選択され、そして、前記画像における複数のブロック領域ＡＲｎの中から、前記代表色が所定の範囲内であるブロック領域ＡＲｍが選択されて１つのグループＡＲｎに纏められ、前記纏められたグループＧＲｎに属するブロック領域ＡＲｍの総面積が所定の第２閾値以上であるグループＧＲｍの中から、前記少なくとも２個以上の複数のブロック領域ＡＲｍのうちの少なくとも１つとして少なくとも１つグループＧＲｍが選択される。このため、上記照明システムＬＳ等では、画像の中から、特徴的な色のブロック領域ＡＲｍが選択されるとともに、前記画像における複数のブロック領域ＡＲｎの中から、一定の範囲内で同色であって比較的広い範囲に亘って分布するブロック領域ＡＲｍ（グループＧＲｍ）が選択される。したがって、上記照明システムＬＳ等は、グラデーション照明の照明装置ＬＤによって画像をより適切に概念的に表現できる。
【００８３】  上述の第５態様の領域選択部６３の場合では、ＳＰ側制御処理部ＰＣの領域選択部６３における選択部６３３によって、画像取得部６２で取得された画像データで表される画像における一部領域の中から、前記複数のブロック領域ＡＲｍが選択される。この一部領域は、例えば、スマートフォンの表示部ＯＴに画像を表示し、この表示された画像の領域をタッチパネルでユーザが指定することによって決定されて良く、また例えば、この一部領域は、画像の上半分、下半分、右半分および左半分等のように予め設定されたものであって良い。例えば、図１４Ａに示す前記画像に対し、この場合では、図１８に示すように、空を写した領域が前記一部領域ＰＡＲとしてユーザによって指定される。そして、この指定された一部領域ＰＡＲに対し、これら上述の第１ないし第４態様のいずれかによって前記少なくとも２個以上の複数の領域が選択される。図１８に示す例では、上述の第２態様によって選択される場合が示されており、空を写した、代表色が青色系である第１グループＧＲ１と、代表色が黄色系である第２グループＧＲ２とが選択され、これら選択された第１および第２グループＧＲ１、２の青色系および黄色系に基づいて、前記第１および第２光の第１および第２色が決定される。
【００８４】  この第５態様によれば、このような照明システムＬＳ等は、前記画像における一部領域の中から前記複数のブロック領域ＡＲｍを選択するので、特定の領域に着目して前記画像をデフォルメできる。したがって、上記照明システムＬＳ等は、グラデーション照明の照明装置ＬＤによって画像をより適切に概念的に表現できる。また例えば、前記一部領域が上述のようにユーザによって指定される場合では、上記照明システムＬＳ等は、グラデーション照明の照明装置ＬＤによって、ユーザの好みに合わせて画像をより適切に概念的に表現できる。
【００８５】  上述の第６態様の領域選択部６３の場合では、ＳＰ側制御処理部ＰＣの領域選択部６３における選択部６３３によって、画像取得部６２で取得された画像データで表される画像におけるグラデーションとなっているグラデーション領域の中から複数の領域が選択される。画像中のグラデーション領域は、例えば、一方向に沿った各ブロック領域ＡＲｎに対し、その各代表色における色相、明度および彩度が順次に一定の範囲内で変化しているか否かを判定することによって求められる。前記判定の結果、前記一定の範囲内で変化している各ブロック領域は、グラデーション領域を形成し、一方、前記一定の範囲内で変化していない各ブロック領域は、グラデーション領域を形成しない。例えば、図１４Ａに示す前記画像に対し、この場合では、図１９に示すように、空を写した領域がグラデーション領域ＧＡＲとして判定される。そして、このグラデーション領域ＧＡＲの両端部の領域が前記少なくとも２個以上の複数の領域として選択される。そして、ＳＰ側制御処理部ＰＣの色決定部６４によって、図１９に示すように、領域選択部６３で上述のように選択された両端部の領域における青色系および橙色系に基づいて、前記第１および第２光の第１および第２色が決定される。なお、このグラデーション領域ＧＡＲに対し、これら上述の第１ないし第４態様のいずれかによって前記少なくとも２個以上の複数の領域が選択されてもよい。
【００８６】  この第６態様によれば、このような照明システムＬＳ等は、前記画像における元々グラデーションとなっているグラデーション領域ＧＡＲの中から複数の領域を選択する。したがって、上記照明システムＬＳ等は、グラデーション照明の照明装置ＬＤによって画像をより適切に概念的に表現できる。
【００８７】  図２０は、実施形態の照明システムにおける指定色による色決定の動作を説明するための図である。図２１は、実施形態の照明システムにおける色補正による色決定の動作を説明するための図である。
【００８８】  なお、上述の実施形態において、スマートフォンＳＰのＳＰ側制御処理部ＰＣは、図２に破線で示すように、ユーザが指定した指定色を受け付ける指定色受付部６６をさらに機能的に備え、ＳＰ側制御処理部ＰＣの色決定部６４は、領域選択部６３の選択部６３３で選択された複数のブロック領域ＡＲｍにおける各代表色の中から、指定色受付部６６で受け付けた指定色に基づいて前記第１および第２光の第１および第２色を決定するように構成されても良い。指定色受付部６６は、例えば、２次元アレイ状に配列された複数の代表色から成る色見本をスマートフォンの表示部ＯＴに表示し、この表示された色見本の代表色の領域をタッチパネルでユーザによって指定されることで、ユーザの指定色を受け付けて良く、また例えば、ＳＰ側入力部ＩＮにおける複数のスイッチそれぞれに色を割り付け（例えば第１ないし第３スイッチにＲ、Ｇ、Ｂの各色を割り付け）、ユーザによってスイッチ操作されることで、ユーザの指定色を受け付けて良い。例えば、図１４Ａに示す前記画像に対し、上述の第１ないし第６態様のいずれかの領域選択部６３によって、図２０に示すように、４つのブロック領域ＡＲｍが選択されると、この場合では、この４つのブロック領域ＡＲｍにおける４つの代表色の中からユーザによって指定された指定色に近い２色が選択されて決定される。
【００８９】  このような照明システムＬＳ、発光色制御装置（上述の例ではスマートフォンＳＰ）、これに実装された発光色制御方法および発光色制御プログラムは、ユーザから色の指定を受け、この指定を受けた指定色に基づいて前記第１および第２光の第１および第２色を決定する。したがって、上記照明システムＬＳ、発光色制御装置、これに実装された発光色制御方法および発光色制御プログラムは、グラデーション照明の照明装置ＬＤによって、ユーザの好みに合わせて画像をより適切に概念的に表現できる。
【００９０】  また、上述の実施形態において、スマートフォンＳＰのＳＰ側制御処理部ＰＣは、図２に破線で示すように、色決定部６４で決定された第１および第２色それぞれにおける彩度または明度が所定の第４閾値以下である場合に、前記第４閾値以下の彩度または明度が第５閾値以上となるように、色決定部６４で決定された第１および第２色を補正する色補正部６７をさらに備え、信号生成部６５は、色決定部６４で決定された第１および第２色であって色補正部６７で補正された第１および第２色を表す信号を生成するように、構成されても良い。これら第４および第５閾値は、照明装置ＬＤによって発光可能な色に応じて適宜に設定される。例えば、図１４Ａに示す前記画像に対し、上述の第１ないし第６態様のいずれかの領域選択部６３によって、図２１に示すように、第１および第２グループＧＲ１、ＧＲ２が選択されると、この場合では、この２つの第１および第２グループＧＲ１、ＧＲ２における２つの代表色が第４閾値以下の彩度または明度が第５閾値以上となるように色補正される。
【００９１】  このような照明システムＬＳ、発光色制御装置（上述の例ではスマートフォンＳＰ）、これに実装された発光色制御方法および発光色制御プログラムは、前記彩度または明度が所定の第４閾値以下である場合に、前記第４閾値以下の彩度または明度が第５閾値以上となるように、色決定部６４で決定された第１および第２色を補正する。このため、このような照明システムＬＳ、発光色制御装置、これに実装された発光色制御方法および発光色制御プログラムでは、色決定部６４で決定された第１および第２色が前記第４閾値以下の彩度または明度であるため、グラデーション照明の照明装置ＬＤによって発光できない場合、前記第４閾値以下の彩度または明度が第５閾値以上に引き上げることで、グラデーション照明の照明装置ＬＤによって発光できるようになる。
【００９２】  また、上述の実施形態において、スマートフォンＳＰのＳＰ側制御処理部ＰＣは、図２に破線で示すように、色決定部６４で決定された第１および第２色が所定の不快な色である場合に、前記不快な色を所定の快い色に変換する色変換部６８をさらに備え、信号生成部６５は、色決定部６４で決定された第１および第２色であって色変換部６８で変換された第１および第２色を表す信号を生成するように、構成されても良い。前記不快な色および快い色は、例えば複数の被験者に様々な色を提示し、その感想を調査することで規定され、スマートフォンＳＰに設定される。
【００９３】  このような照明システムＬＳ、発光色制御装置（上述の例ではスマートフォンＳＰ）、これに実装された発光色制御方法および発光色制御プログラムは、色決定部６４で決定された第１および第２色が予め設定された所定の不快な色である場合に、前記不快な色を予め設定された所定の快い色に変換する。したがって、上記照明システムＬＳ、発光色制御装置、これに実装された発光色制御方法および発光色制御プログラムは、グラデーション照明の照明装置ＬＤによって、画像を快い色で概念的に表現できる。
【００９４】  また、上述の実施形態では、発光色制御装置は、照明装置ＬＤとは別体のスマートフォンＳＰに実装されたが、照明装置ＬＤに実装され、照明装置ＬＤと一体であっても良い。このような場合では、図２に示すＳＰ側制御処理部ＰＣに機能的に構成された各部は、信号生成部６５を除き、ＬＤ側制御処理部２１に機能的に構成される。そして、グラデーション照明で概念的に表現される画像は、例えば、ＬＤ側ブルートゥース通信モジュール２４を介して取得され、ＬＤ側記憶部２２に記憶される。このような構成によっても上述の実施形態と同様な作用効果を奏する。
【００９５】  本明細書は、上記のように様々な態様の技術を開示しているが、そのうち主な技術を以下に纏める。
【００９６】  一態様にかかる発光制御装置は、互いに異なる色の複数の光を、前記複数の光の一部が放射角度領域で互いに重なるように、放射する照明装置における前記複数の光のそれぞれの色を制御する発光色制御装置であって、画像を表す画像データを取得する画像取得部と、前記画像取得部で取得された画像データで表される画像の中から複数の領域を選択する領域選択部と、前記領域選択部で選択された複数の領域における各色情報に基づいて前記複数の光のそれぞれの色を決定する色決定部と、前記照明装置へ出力するために、前記色決定部で決定された色を表す信号を生成する信号生成部とを備える。
【００９７】  このような発光色制御装置の制御対象となる照明装置は、互いに異なる色の複数の光を、前記複数の光の一部が放射角度領域で互いに重なるように、放射するので、いわゆるグラデーション照明できる。そして、上記発光色制御装置は、画像の中から複数の領域を選択し、それらの各色情報に基づいて前記複数の光のそれぞれの色を決定する。このため、上記発光色制御装置は、グラデーション照明の基となる画像を簡略化することでデフォルメできる。したがって、上記発光色制御装置は、グラデーション照明の照明装置によって画像を概念的に表現できる。
【００９８】  他の一態様では、上述の発光色制御装置において、前記領域選択部は、前記画像取得部で取得された画像データで表される画像を所定の形状で複数のブロック領域に分割することで、前記画像を標本化する画像標本化部と、前記画像標本化部で標本化された前記複数のブロック領域それぞれにおいて、当該ブロック領域における色情報に基づいて当該ブロック領域の色を代表する代表色を求めることで、前記複数のブロック領域それぞれの各色を量子化する画像量子化部と、前記画像標本化部で標本化された前記複数のブロック領域の中から、前記画像量子化部で量子化された代表色に基づいて、複数のブロック領域を前記複数の領域として選択する選択部とを備え、前記色決定部は、前記領域選択部の選択部で選択された複数のブロック領域における各代表色に基づいて前記複数の光のそれぞれの色を決定する。
【００９９】  このような発光色制御装置は、グラデーション照明の基となる画像を、画像標本化して画像量子化するので、前記画像の特徴を活かしてデフォルメできる。したがって、上記発光色制御装置は、グラデーション照明の照明装置によって画像をより適切に概念的に表現できる。
【０１００】  他の一態様では、上述の発光色制御装置において、前記領域選択部の前記選択部は、前記画像標本化部で標本化された前記複数のブロック領域の中から、隣接するブロック領域に対し前記代表色の色相、明度および彩度の中のいずれかが所定の第１閾値以上異なるブロック領域を、前記複数のブロック領域として選択する。
【０１０１】  このような発光色制御装置は、前記画像における複数のブロック領域の中から、隣接するブロック領域に対し前記代表色の色相、明度および彩度の中のいずれかが所定の第１閾値以上異なるブロック領域を、選択する。このため、上記発光色制御装置では、画像の中から、特徴的な色のブロック領域が選択される。したがって、上記発光色制御装置は、グラデーション照明の照明装置によって画像をより適切に概念的に表現できる。
【０１０２】  他の一態様では、上述の発光色制御装置において、前記領域選択部の前記選択部は、前記画像標本化部で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域として複数のグループを選択する。
【０１０３】  このような発光色制御装置は、前記画像における複数のブロック領域の中から、前記代表色が所定の範囲内であるブロック領域を選択して１つのグループに纏め、前記纏めたグループに属するブロック領域の総面積が所定の第２閾値以上であるグループの中から、前記複数のブロック領域として複数のグループを選択する。このため、上記発光色制御装置では、前記画像における複数のブロック領域の中から、一定の範囲内で同色であって比較的広い範囲に亘って分布するブロック領域（グループ）が選択される。したがって、上記発光色制御装置は、グラデーション照明の照明装置によって画像をより適切に概念的に表現できる。
【０１０４】  他の一態様では、上述の発光色制御装置において、前記領域選択部の前記選択部は、前記画像標本化部で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であって彩度または明度が所定の第３閾値以上であるグループの中から、前記複数のブロック領域として複数のグループを選択する。
【０１０５】  このような発光色制御装置は、前記画像における複数のブロック領域の中から、前記代表色が所定の範囲内であるブロック領域を選択して１つのグループに纏め、前記纏めたグループに属するブロック領域の総面積が所定の第２閾値以上であって彩度または明度が所定の第３閾値以上であるグループの中から、前記複数のブロック領域として複数のグループを選択する。このため、上記発光色制御装置では、前記画像における複数のブロック領域の中から、一定の範囲内で同色であって比較的広い範囲に亘って分布する、照明装置で発光可能なブロック領域（グループ）が選択される。したがって、上記発光色制御装置は、グラデーション照明の照明装置によって画像をより適切に概念的に表現できる。
【０１０６】  他の一態様では、上述の発光色制御装置において、前記領域選択部の前記選択部は、前記画像標本化部で標本化された前記複数のブロック領域の中から、隣接するブロック領域に対し前記代表色の色相、明度および彩度の中のいずれかが所定の第１閾値以上異なるブロック領域を、前記複数のブロック領域の少なくとも１つとして少なくとも１つのブロック領域を選択し、前記画像標本化部で標本化された複数のブロック領域の中から、前記代表色における色相差、彩度差および明度差が所定の範囲内であるブロック領域を選択して１つのグループに纏め、前記纏めたグループに属するブロック領域の総面積が所定の第２閾値以上であるグループの中から、前記複数のブロック領域の少なくとも１つとして少なくとも１つのグループを選択する。
【０１０７】  このような発光色制御装置は、前記画像における複数のブロック領域の中から、隣接するブロック領域に対し前記代表色の色相、明度および彩度の中のいずれかが所定の第１閾値以上異なるブロック領域を、前記複数のブロック領域の少なくとも１つとして少なくとも１つ選択し、そして、前記画像における複数のブロック領域の中から、前記代表色が所定の範囲内であるブロック領域を選択して１つのグループに纏め、前記纏めたグループに属するブロック領域の総面積が所定の第２閾値以上であるグループの中から、前記複数のブロック領域の少なくとも１つとして少なくとも１つグループを選択する。このため、上記発光色制御装置では、画像の中から、特徴的な色のブロック領域が選択されるとともに、前記画像における複数のブロック領域の中から、一定の範囲内で同色であって比較的広い範囲に亘って分布するブロック領域（グループ）が選択される。したがって、上記発光色制御装置は、グラデーション照明の照明装置によって画像をより適切に概念的に表現できる。
【０１０８】  他の一態様では、これら上述の発光色制御装置において、前記領域選択部の前記選択部は、前記画像取得部で取得された画像データで表される画像における一部領域の中から、前記複数のブロック領域を選択する。
【０１０９】  このような発光色制御装置は、前記画像における一部領域の中から前記複数のブロック領域を選択するので、特定の領域に着目して前記画像をデフォルメできる。したがって、上記発光色制御装置は、グラデーション照明の照明装置によって画像をより適切に概念的に表現できる。また例えば、前記一部領域がユーザによって指定される場合では、上記発光色制御装置は、グラデーション照明の照明装置によって、ユーザの好みに合わせて画像をより適切に概念的に表現できる。
【０１１０】  他の一態様では、これら上述の発光色制御装置において、前記領域選択部の前記選択部は、前記画像取得部で取得された画像データで表される画像におけるグラデーションとなっているグラデーション領域の中から複数の領域を選択することを特徴とする。
【０１１１】  このような発光色制御装置は、前記画像における元々グラデーションとなっているグラデーション領域の中から複数の領域を選択する。したがって、上記発光色制御装置は、グラデーション照明の照明装置によって画像をより適切に概念的に表現できる。
【０１１２】  また、他の一態様では、これら上述の発光色制御装置において、ユーザが指定した指定色を受け付ける指定色受付部をさらに備え、前記色決定部は、前記領域選択部の選択部で選択された複数のブロック領域における各代表色の中から、前記指定色受付部で受け付けた指定色に基づいて前記複数の光のそれぞれの色を決定する。
【０１１３】  このような発光色制御装置は、ユーザから色の指定を受け、この指定を受けた指定色に基づいて前記複数の光のそれぞれの色を決定する。したがって、上記発光色制御装置は、グラデーション照明の照明装置によって、ユーザの好みに合わせて画像をより適切に概念的に表現できる。
【０１１４】  他の一態様では、これら上述の発光色制御装置において、前記画像量子化部は、当該ブロック領域における色情報の所定の統計値を前記代表色とする。そして、好ましくは、前記所定の統計値は、平均値、加重平均値、中央値および中心値のうちのいずれか１つである。
【０１１５】  このような発光色制御装置は、代表色を統計値で決定するので、より適切にブロック領域の代表色を決定できる。したがって、上記発光色制御装置は、グラデーション照明の照明装置によって画像をより適切に概念的に表現できる。
【０１１６】  なお、中央値は、所定の範囲ごとに区分した画素値を横軸とするとともに各区分ごとの頻度を縦軸とした場合、画像の全画素を対象とした度数分布の最も頻度の多い区分の値である。より具体的には、例えば、色相の中央値は、画像の全画素を対象に、色相の度数分布を求め、この求めた色相の度数分布における最も頻度の多い区分の値である。明度の中央値は、画像の全画素を対象に、明度の度数分布を求め、この求めた明度の度数分布における最も頻度の多い区分の値である。彩度の中央値は、画像の全画素を対象に、彩度の度数分布を求め、この求めた彩度の度数分布における最も頻度の多い区分の値である。そして、これら色相の中央値、明度の中央値および彩度の中央値によって定義される色が代表色となる。
【０１１７】  中心値は、所定の範囲ごとに区分した画素値を横軸とするとともに各区分ごとの頻度を縦軸とした場合、画像の全画素を対象とした度数分布における頻度の有る最小の区分の値（度数分布の区分の最小値）と、頻度のある最大の区分の値（度数分布の区分の最大値）との真ん中の値である。例えば、色相の中心値は、画像の全画素を対象に、色相の度数分布を求め、この求めた色相の度数分布における度数分布の区分の最小値と度数分布の区分の最大値との真ん中の値である。明度の中心値は、画像の全画素を対象に、明度の度数分布を求め、この求めた明度の度数分布における度数分布の区分の最小値と度数分布の区分の最大値との真ん中の値である。彩度の中心値は、画像の全画素を対象に、彩度の度数分布を求め、この求めた彩度の度数分布における度数分布の区分の最小値と度数分布の区分の最大値との真ん中の値である。そして、これら色相の中心値、明度の中心値および彩度の中心値によって定義される色が代表色となる。
【０１１８】  他の一態様では、これら上述の発光色制御装置において、前記色決定部で決定された第１および第２色それぞれにおける彩度または明度が所定の第４閾値以下である場合に、前記第４閾値以下の彩度または明度が第５閾値以上となるように、前記色決定部で決定された第１および第２色を補正する色補正部をさらに備え、前記信号生成部は、前記色決定部で決定された第１および第２色であって前記色補正部で補正された第１および第２色を表す信号を生成する。
【０１１９】  このような発光色制御装置は、前記彩度または明度が所定の第４閾値以下である場合に、前記第４閾値以下の彩度または明度が第５閾値以上となるように、前記色決定部で決定された第１および第２色を補正する。このため、前記色決定部で決定された第１および第２色が前記第４閾値以下の彩度または明度であるため、グラデーション照明の照明装置によって発光できない場合、前記第４閾値以下の彩度または明度が第５閾値以上に引き上げることで、グラデーション照明の照明装置によって発光できるようになる。
【０１２０】  他の一態様では、これら上述の発光色制御装置において、前記色決定部で決定された色が所定の不快な色である場合に、前記不快な色を所定の快い色に変換する色変換部をさらに備え、前記信号生成部は、前記色決定部で決定された色であって前記色変換部で変換された色を表す信号を生成する。
【０１２１】  このような発光色制御装置は、前記色決定部で決定された色が予め設定された所定の不快な色である場合に、前記不快な色を予め設定された所定の快い色に変換する。したがって、上記発光制御装置は、グラデーション照明の照明装置によって、画像を快い色で概念的に表現できる。
【０１２２】  他の一態様にかかる発光色制御方法は、互いに異なる色の複数の光を、前記複数の光の一部が放射角度領域で互いに重なるように、放射する照明装置における前記複数の光のそれぞれの色を制御する発光色制御方法であって、画像を表す画像データを取得する画像取得工程と、前記画像取得工程で取得された画像データで表される画像の中から複数の領域を選択する領域選択工程と、前記領域選択工程で選択された複数の領域における各色情報に基づいて前記複数の光のそれぞれの色を決定する色決定工程と、前記照明装置へ出力するために、前記色決定工程で決定された複数の光のそれぞれの色を表す信号を生成する信号生成工程とを備える。
【０１２３】  他の一態様にかかる発光色制御プログラムは、互いに異なる色の複数の光を、前記複数の光の一部が放射角度領域で互いに重なるように、放射する照明装置における前記複数の光のそれぞれの色を制御する発光色制御プログラムであって、コンピュータに、画像を表す画像データを取得する画像取得工程と、前記画像取得工程で取得された画像データで表される画像の中から複数の領域を選択する領域選択工程と、前記領域選択工程で選択された複数の領域における各色情報に基づいて前記複数の光のそれぞれの色を決定する色決定工程と、前記照明装置へ出力するために、前記色決定工程で決定された複数の光のそれぞれの色を表す信号を生成する信号生成工程とを、実行させるための発光色制御プログラムである。
【０１２４】  他の一態様にかかる照明システムは、互いに異なる色の複数の光を、前記複数の光の一部が放射角度領域で互いに重なるように、放射する照明装置と、前記照明装置における前記複数の光のそれぞれの色を制御する発光色制御装置とを備え、前記発光色制御装置は、これら上述のいずれかの発光色制御装置である。
【０１２５】  他の一態様にかかる照明装置は、複数の色の光を放射可能な複数の光源を有し、前記複数の光源のうちの或る光源から放射される光の一部と前記複数の光源のうちの別の複数の光源から放射される光の一部とが放射角度領域で互いに重なるように前記複数の光を放射する光源部と、互いに異なる色で前記複数の光を放射するように前記複数の光源を制御する制御部と、画像を表す画像データを取得する画像取得部とを備え、前記制御部は、前記画像取得部で取得された画像データで表される画像の中から複数の領域を選択する領域選択部と、前記領域選択部で選択された複数の領域における各色情報に基づいて前記複数の光のそれぞれの色を決定する色決定部と、前記色決定部で決定された色で前記複数の光を放射するように前記複数の光源を制御する発光制御部とを備える。
【０１２６】  他の一態様にかかる照明方法は、複数の色の光を放射可能な複数の光源それぞれを、互いに異なる色の複数の光であって前記複数の光のそれぞれの一部を放射角度領域で互いに重なるように放射させる照明方法であって、画像を表す画像データを取得する画像取得工程と、前記画像取得工程で取得された画像データで表される画像の中から複数の領域を選択する領域選択工程と、前記領域選択工程で選択された複数の領域における各色情報に基づいて前記複数の光のそれぞれの色を決定する色決定工程と、前記色決定部で決定された色で前記第１および第２光を放射するように前記複数の光源を制御する発光制御工程とを備える。
【０１２７】  このような発光色制御方法、発光色制御プログラム、照明システム、照明装置および照明方法は、画像の中から複数の領域を選択し、それらの各色情報に基づいて前記複数の光のそれぞれの色を決定する。このため、上記発光色制御方法、発光色制御プログラム、照明システム、照明装置および照明方法は、グラデーション照明の基となる画像を簡略化することでデフォルメできる。したがって、上記発光色制御方法、発光色制御プログラム、照明システム、照明装置および照明方法は、グラデーション照明の照明装置によって画像を概念的に表現できる。
【０１２８】  この出願は、２０１４年５月１３日に出願された日本国特許出願特願２０１４−９９４６９を基礎とするものであり、その内容は、本願に含まれるものである。
【０１２９】  本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１３０】  本発明によれば、発光色制御装置、発光色制御方法および発光色制御プログラム、照明システムならびに照明装置および照明方法を提供できる。
【図１】
0006512220.tif 000002
【図２】
0006512220.tif 000003
【図３】
0006512220.tif 000004
【図４】
0006512220.tif 000005
【図５】
0006512220.tif 000006
【図６】
0006512220.tif 000007
【図７】
0006512220.tif 000008
【図８】
0006512220.tif 000009
【図９】
0006512220.tif 000010
【図１０】
0006512220.tif 000011
【図１１】
0006512220.tif 000012
【図１２】
0006512220.tif 000013
【図１３】
0006512220.tif 000014
【図１４】
0006512220.tif 000015
【図１５】
0006512220.tif 000016
【図１６】
0006512220.tif 000017
【図１７】
0006512220.tif 000018
【図１８】
0006512220.tif 000019
【図１９】
0006512220.tif 000020
【図２０】
0006512220.tif 000021
【図２１】
0006512220.tif 000022